(57)【特許請求の範囲】
【請求項１】
錠ケースの前面にコイン投入口及びコイン返却口を設けるとともに、その錠ケースの背面を取付面としてこの取付面を収納室の扉の裏面に固着し、この取付面にシリンダー錠の鍵操作部を設けてこの鍵操作部を扉の表面に露出させ、扉の表面側から施解錠操作を行うように構成されたコイン錠装置であって、
シリンダー錠の軸部に連結されて施解錠操作により回動し、先端部が錠ケースの錠面から出没して収納室の框体側に形成された係合溝に係脱するように保持され、周縁部の一部には円弧状部分と直線状部分とからなるカム部が形成された施錠板と、
錠面側の側面を前記施錠板のカム部に付勢状態で接触させ、施錠板の回動に連動して水平方向に摺動するように保持されたリトラクターと、
錠ケース内に水平に取り付けられて、その上に前記リトラクターを摺動自在に保持する中板と、
錠ケース内に回動可能に軸支され、両側部に形成された爪片を前記リトラクタに付勢状態で係合させてリトラクターの摺動を拘束するストッパーと、を備え、
前記リトラクターには、コイン投入口から投入されたコインを通過させうるコイン保持穴が形成されるとともに、前記中板には前記コイン保持穴に対応して、錠面側ではコインの直径よりも小さく、吊り元側ではコインの直径よりも大きいコイン受止穴が形成され、
リトラクターのコイン保持穴に落下したコインが中板のコイン受止穴に引っ掛かった状態で施錠板を回動させると、該施錠板に当接したリトラクターがコインをストッパーに当接させてストッパーを回動させ、リトラクターの拘束を解除しつつ施錠位置まで移動し、該施錠位置まで移動するとコインが中板のコイン受止穴を通過してコイン返却口に落下する、ように構成されたことを特徴とするコイン錠装置。
【請求項２】
施錠操作によって摺動する前記リトラクターの一部が、施錠時にコイン投入口の一部を閉鎖することを特徴とする請求項１記載のコイン錠装置。
【請求項３】
コイン投入口が、コインを錠ケースの取付面に対して直交する向きに投入するように形成されたことを特徴とする請求項１又は２記載のコイン錠装置。
【請求項４】
先端に形成されたラッチヘッドが前記錠ケースの錠面から付勢状態で突出し、このラッチヘッドが閉扉時に収納室の框体に接触して後退するように、錠ケース内に摺動自在に組み込まれた閉扉確認ラッチと、この閉扉確認ラッチの出没に連動して昇降し、開扉時には前記施錠板に形成された係合片に当接して施錠板の回動を阻止するとともに、閉扉時には前記係合片から離れて施錠板の回動を可能にする施錠制御部材と、からなる誤施錠防止手段が設けられたことを特徴とする請求項１，２又は３記載のコイン錠装置。
【発明の詳細な説明】
【０００１】
【発明の属する技術分野】
本発明は、コインロッカー等の扉の施解錠を行うためのコイン錠装置に関し、より詳細には、いわゆるワンコイン・返却タイプのコイン錠装置に関する。
【０００２】
【従来の技術】
従来の一般的なコイン錠装置においては、コイン収受部や鍵操作部が、コインロッカー等の各収納室を区画する框体の表面に設けられていた。しかし、これによれば、各収納室の間にコイン錠装置の設置スペースを確保しなければならないので、その分、各収納室の容積が小さくなるとともに、框体の表面にコイン錠装置が露出して外観が見苦しくなりがちであった。また、コイン錠装置が框体側に組み込まれるので、その修理や交換が面倒であり、既設のロッカー設備などに対しては後からコイン錠装置を取り付けることも困難であった。
【０００３】
そこで、各収納室の扉側にコイン収受部や鍵操作部を設けるように構成したコイン錠装置として、特開平９−３３０４６９号公報記載の「ロッカ装置」が提案されている。このロッカ装置は、いわゆるワンコイン・返却タイプのコイン錠装置で、ケース内に収容されたコイン錠装置の背面を取付面として、この取付面を扉の裏面に固着し、シリンダー錠の鍵操作部を扉の表面に露出させるとともに、ケースの前面にコイン投入口及びコイン返却口を設けたものである。その使用方法は、扉を開けて収納室内に物品を収納し、扉の背面側からコイン投入口にコインを投入した後、扉を閉め、扉の表面側からシリンダー錠を回動させると施錠されるというもので、物品を取り出すときに鍵を鍵操作部に挿入して解錠操作を行うと、コインがコイン返却口に排出され、扉を開けて物品及びコインを取り出すことができるようになっている。したがって、特に公共施設やスポーツ施設等において無料で利用することを前提に設置されるコインロッカー等のコイン錠装置として好適なものである。
【０００４】
【発明が解決しようとする課題】
しかしながら、前記公報にはコイン錠装置を構成する部品やその作動状態が具体的に明示されておらず、コイン錠装置の内部機構はブラックボックスになっている。
【０００５】
また、前記公報に記載されたコイン錠装置は、施錠板としてデッドボルトが採用されているため、片開き式の扉を有する収納室にしか使用できないものとなっている。
【０００６】
さらに、前記公報に記載されたコイン錠装置は、コインを、ケース前面の右上方向から、取付面に平行する向きに投入するように構成されており、一般的な自動販売機等に設けられているコイン投入口とは使い勝手が異なっている。そのため、機械操作に不慣れな高齢者や身障者等にとっては、投入時にコイン投入口の位置が判りにくかったり、コインを投入し損なって落としてしまったりするおそれがある。
【０００７】
そこで、本発明は、前記のように扉に取り付けられるタイプのコイン錠装置について、その内部機構を具体的に明らかにしつつ、合理的で簡潔な部品構成によってこれを経済的に提供するとともに、その使い勝手を改善し、利用用途をさらに拡大することを目的としている。
【０００８】
【課題を解決するための手段】
本発明のコイン錠装置は、錠ケースの前面にコイン投入口及びコイン返却口を設けるとともに、その錠ケースの背面を取付面としてこの取付面を収納室の扉の裏面に固着し、この取付面にシリンダー錠の鍵操作部を設けてこの鍵操作部を扉の表面に露出させ、扉の表面側から施解錠操作を行うように構成されたコイン錠装置であって、シリンダー錠の軸部に連結されて施解錠操作により回動し、先端部が錠ケースの錠面から出没して収納室の框体側に形成された係合溝に係脱するように保持され、周縁部の一部には円弧状部分と直線状部分とからなるカム部が形成された施錠板と、錠面側の側面を前記施錠板のカム部に付勢状態で接触させ、施錠板の回動に連動して水平方向に摺動するように保持されたリトラクターと、錠ケース内に水平に取り付けられて、その上に前記リトラクターを摺動自在に保持する中板と、錠ケース内に回動可能に軸支され、両側部に形成された爪片を前記リトラクタに付勢状態で係合させてリトラクターの摺動を拘束するストッパーと、を備え、前記リトラクターには、コイン投入口から投入されたコインを通過させうるコイン保持穴が形成されるとともに、前記中板には前記コイン保持穴に対応して、錠面側ではコインの直径よりも小さく、吊り元側ではコインの直径よりも大きいコイン受止穴が形成され、リトラクターのコイン保持穴に落下したコインが中板のコイン受止穴に引っ掛かった状態で施錠板を回動させると、該施錠板に当接したリトラクターがコインをストッパーに当接させてストッパーを回動させ、リトラクターの拘束を解除しつつ施錠位置まで移動し、該施錠位置まで移動するとコインが中板のコイン受止穴を通過してコイン返却口に落下する、ように構成されたことを特徴とする。
【０００９】
すなわちこのコイン錠装置は、可動部品であるリトラクター及びストッパーが、施解錠操作の制御手段とコインの判別・処理手段とを一体的に構成するとともに、投入されたコインを一時的にリトラクターに保持して、施解錠の制御手段を構成する部品の一部としても活用するものである。そのため、可動部品の点数を少なく抑えることができ、内部機構が簡潔で合理的なものとなる。
【００１０】
また、本発明のコイン錠装置は、施錠操作によって摺動する前記リトラクターの一部が、施錠時にコイン投入口の一部を閉鎖することを特徴とする。これによれば、部品点数を増やすことなく、施錠時におけるコインの誤投入を防止することができる。
【００１１】
また、本発明のコイン錠装置は、前記コイン投入口が、コインを錠ケースの取付面に対して直交する向きに投入するように形成されたことを特徴とする。これによれば、コインの投入を自然で無理のない向きに行うことができるので、機械操作に不慣れな高齢者や身障者等にとっても使い勝手のよいものとなる。
【００１２】
さらに、本発明のコイン錠装置は、前記コイン錠装置において、先端に形成されたラッチヘッドが前記錠ケースの錠面から付勢状態で突出し、このラッチヘッドが閉扉時に収納室の框体に接触して後退するように、錠ケース内に摺動自在に組み込まれた閉扉確認ラッチと、この閉扉確認ラッチの出没に連動して昇降し、開扉時には前記施錠板に形成された係合片に当接して施錠板の回動を阻止するとともに、閉扉時には前記係合片から離れて施錠板の回動を可能にする施錠制御部材と、からなる誤施錠防止手段が設けられたことを特徴とする。これによれば、閉扉不完全な状態のままコインを投入して施錠操作をしようとした場合に施錠制御部材が施錠板の回動を阻止し、完全に扉を閉めたときに、施錠制御部材が施錠板の係合片から離れて施錠が可能になるので、扉が開いたまま鍵が持ち去られてしまう、という誤使用やイタズラを防止することができる。
【００１３】
【発明の実施の形態】
以下、本発明の実施の形態について、図面を参照しつつ説明する。
【００１４】
図１は本発明のコイン錠装置１の正面（前面）図である。図２はコイン錠装置１の非使用時における背面図で、背面側のカバー部材を取り外して内部を見た状態を示している。図３〜図５は、それぞれ図２に示したコイン錠装置１のＶ−Ｖ’，Ｗ−Ｗ’，Ｘ−Ｘ’位置における横断面図であり、図６〜図７は、同じくＹ−Ｙ’，Ｚ−Ｚ’位置における縦断面図である。
【００１５】
このコイン錠装置１は、背面側が開口した箱状の錠ケース２内にすべての構成部品が収容され、その背面側が、コインロッカー等の扉Ｄｗ（図１３参照）の裏面に取り付けられている。錠ケース２の前面の上部にはコイン投入口２１、下部にはコイン返却口２２が形成されている。また、錠ケース２の背面側には、内部機構を保護するための内カバー２３（図１３参照）がビス止めされている。
【００１６】
錠ケース２の中には、シリンダー錠３が、その鍵操作部３１を背面側に突出させて設けられている。シリンダー錠３の軸部には施錠板３２が固定されている。この施錠板３２は、シリンダー錠３の施解錠操作に連動して約９０度回動するように取り付けられ、施錠時には、施錠板３２の先端部が錠ケース２の錠面側の側面に形成された溝穴２４から突出する。施錠板３２の周縁部の一部には、円弧状部分と直線状部分とからなるカム部３３が形成され、このカム部３３には常時リトラクター４が接触する。
【００１７】
リトラクター４は、図８に示すような部品で、平坦な前面、後面及び底面を有し、錠ケース２内に水平に取り付けられた中板５の上に摺動可能に保持されている。リトラクター４の錠面側の側面４１は高さが大きく形成され、この側面４１が施錠板３２のカム部３３に接触する。この側面４１には、施錠板３２との接触による磨耗を防止するため、金属製の補強板４２が取り付けられている。反対側（扉の吊り元側）の側面４３にはバネ保持孔４４が形成され、その中に圧縮コイルバネ４５が水平方向に挿入されて、その他端が錠ケース２の側面に当接し、リトラクター４が常時錠面方向に付勢されている。
【００１８】
リトラクター４の上面には、吊り元側の側面４３部分を残して凹部４６が形成され、該側面４３部分に残された立ち上がり部分４７が後述するストッパー６に係合する。また、リトラクター４の上面から底面までを貫通して前後方向に細長い溝穴が形成され、これがコイン保持穴４８となっている。このコイン保持穴４８は、図２に示した非使用時の状態で、錠ケース２に形成されたコイン投入口２１の背後直下に位置するように設けられ、その内寸は所定のコインＣがちょうど通過しうる大きさに形成されている。
【００１９】
ストッパー６は、両側部に爪片６１，６１が形成され、上部にバネ掛止片６２が形成された部品で、リトラクター４の吊り元側の側面４３部分に形成された立ち上がり部分４７が両爪片６１，６１の間に係合している。ストッパー６は、前後方向に取り付けられたノックピン６３及びこれに装着されたねじりコイルバネ６４を介して錠ケース２内に回動可能に軸支され、図２において時計回り方向に付勢されている。
【００２０】
リトラクター４を保持する中板５は、図８に示すような形状を有する板体で、リトラクター４のコイン保持穴４８に対応して略矩形のコイン受止穴５１が形成されている。このコイン受止穴５１の前後幅は、錠面側の約２／３ではコインＣの直径よりわずかに小さく、吊り元側の約１／３ではコインＣの直径よりもわずかに大きく形成されている。
【００２１】
中板５の下方には、錠ケース２の底面、吊り元側の側面、及び略中央の肉厚部によって囲まれたコイン受け部２５が形成され、錠ケース２の前面に形成されたコイン返却口２２を通じて錠ケース２の前面側に開口している。
【００２２】
このように構成されたコイン錠装置１は、施解錠操作によって以下のように作動する。
【００２３】
まず、非使用時（解錠時）には、シリンダー錠３の鍵操作部３１に図示しない鍵が挿入され、この鍵は解錠状態では抜けないようになっている。鍵を回して施錠しようとすると、図２に示したように、施錠板３２のカム部３３に接触したリトラクター４がストッパー６の吊り元側の爪片６１に当接し、リトラクター４の摺動が拘束されて、施錠することができない。
【００２４】
コインロッカーの利用者が収納室に物品を収納した後、扉を開けたままで扉の裏側からコイン投入口２１にコインＣを投入すると、コインＣは、コイン投入口２１の背後直下にあるリトラクター４のコイン保持穴４８に落下する。そして、リトラクター４の下側にある中板５に形成されたコイン受止穴５１の前後幅の狭い部分に引っ掛かって、図９に示すような状態で保持される。このとき、コインＣの上縁部は、ストッパー６の錠面側の爪片６１に接触しうる高さに保持されることとなる。
【００２５】
この状態で扉を閉め、扉の表面側から鍵を回すと、施錠板３２が回動を開始すると同時に、施錠板３２のカム部３３に接触しているリトラクター４もコインＣと一緒に摺動を開始する。すると、コインＣの上縁部がストッパー６の錠面側の爪片６１を持ち上げ、図１０に示すように、ストッパー６が反時計回りに回動してリトラクター４の拘束が解除される。これにより、施錠板３２がその先端部を錠面から突出させる位置まで回動し、コインロッカーの框体の側面に形成された係合溝（図示せず）に係合して施錠される。
【００２６】
そして、リトラクター４がコインＣを保持したまま吊り元側まで移動し、コインＣが中板５に形成されたコイン受止穴５１の前後幅の広い部分にまで達すると、コインＣが中板５を通過してコイン受け部２５に落下する。図１１及び図１２は、施錠が完了して、コインＣがコイン受け部２５に貯留された状態を示す。
【００２７】
また、この施錠操作と同時に、リトラクター４の錠面側の高さが高く形成された部分４９がコイン投入口２１の背後に移動して、コイン投入口２１の一部を塞ぎ、コインＣの追加投入も拒否されることとなる。
【００２８】
このようにして施錠が完了すると、利用者は、シリンダー錠３から鍵を抜き取ってこれを携帯することができる。
【００２９】
解錠時には、扉の表面側から鍵操作部３１に鍵を挿入し、シリンダー錠３を施錠時とは反対の方向に回動させる。すると、施錠板３２及びリトラクター４は特に抵抗なく図２に示した解錠状態にまで復帰し、鍵も再び抜けなくなる。そして、利用者は扉を開け、物品を取り出すとともに、コイン受け部２５に貯留されているコインＣをコイン返却口２２から取り出すことができる。なお、開扉時に錠ケース２のコイン受け部２５からコインＣが飛び出してしまわないよう、図７に示したように、コイン受け部２５の底面には適度な傾斜面が形成されて前面側がやや高くなっている。
【００３０】
このように、本発明のコイン錠装置１は、施錠板３２の周面に形成されたカム部３３に付勢状態で接触し、施錠板３２の回動に連動して水平方向に摺動するように保持されたリトラクター４と、このリトラクター４に付勢状態で係合し、リトラクター４の摺動を拘束しうるように保持されたストッパー６とが、施解錠操作の制御手段を構成するとともに、コインＣの判別・処理手段を構成している。そして、投入されたコインＣが、一時的にリトラクター４の所定位置に保持され、施錠操作によりリトラクター４の摺動とともに移動してストッパー６に当接し、ストッパー６を回動させてリトラクター４の拘束を解除しつつ、リトラクター４が所定位置まで移動したところでリトラクター４及び中板５を通過してコイン返却口２２に落下するように構成されている。
【００３１】
すなわち、本発明においては、施解錠操作に伴ってその位置や姿勢を変化させる可動部品が、施錠板３２、リトラクター４、ストッパー６、そしてこれらを付勢する圧縮コイルバネ４５及びねじりコイルバネ６４の５点のみであり、これら最小限の可動部品点数によって、施解錠の制御手段とコインＣの判別・処理手段、さらには施錠時のコインＣの誤投入防止手段までが一体的に構成されている。また、投入されたコインＣを一時的にリトラクター４に保持して施錠操作とともに移動させ、施解錠の制御手段を構成する部品の一部としても活用している。
【００３２】
なお、扉の表面側にコイン返却口を設けた従来一般のコインロッカーでは、解錠操作に合わせてコインＣを取り出し可能に排出するコイン排出手段が不可欠であったが、本発明においては、コイン返却口２２は扉の裏側に設けられるので、施錠完了と同時にコインＣがコイン受け部２５に排出されても、解錠するまでは利用者や第三者がコインＣに触れることはできない。したがって、従来のような解錠操作に連動するコイン排出手段を別途に設ける必要がない。
【００３３】
このように、本発明のコイン錠装置１は、可動部品点数が少なく、簡潔で合理的な内部機構からなるので、安価に製造することができるとともに、誤動作のおそれも極めて小さいものとなる。さらにこのコイン錠装置１は、扉の裏面に取り付けられるものであるため、その構造も従来一般のコイン錠装置１ほど頑強である必要はない。したがって、構成部品の素材についても、その多くを合成樹脂等により形成し、コイン錠装置１の軽量化を図ることが可能になる。
【００３４】
また、本発明のコイン錠装置１では、コインＣを、錠ケース２の取付面に対して直交させるように、錠ケース２の前面側から縦向きに投入するようになっている。これは、一般的な自動販売機等において広く採用されているコイン投入方式にならったものであり、コインＣを指先で摘んで投入するには最も自然で無理のない投入方式である。したがって、機械操作に不慣れな高齢者や身障者等にとっても容易に利用することができ、コイン投入時にコイン投入口２１の位置を捜したり、コインＣを投入し損なって落としてしまう、というような不便を解消することができる。
【００３５】
また、本発明のコイン錠装置１では、施錠板３２にデッドボルトでなく回動式の板体を採用している。したがって、施錠板３２の先端部を鉤状に形成し、その相手方の係合溝に係止しうるようにすれば、片開き式の扉だけでなく、両開き式の扉や引き戸式の扉を有する収納室にも利用することが可能である。
【００３６】
続いて、このコイン錠装置１を扉に取り付ける方法について説明する。
図１３は、このコイン錠装置１を例えば木製の扉Ｄｗに取り付ける場合の取付方法を示す。コイン錠装置１は、内カバー２３が取り付けられた錠ケース２の背面側を取付面として、扉Ｄｗの裏面に、図示のような引き付け板７を介して取り付けられる。引き付け板７は、シリンダー錠３の鍵操作部３１の位置に合わせて形成された挿通穴７１を有し、この挿通穴を扉Ｄｗに形成された挿通穴に一致させて、扉Ｄｗの裏面にビス固定される。引き付け板７の側縁部にはビス孔を有する引き付け片７２が複数箇所に形成され、これらの引き付け片７２が錠ケース２の側面の内側に挿し込まれて、錠ケース２の側面にビス固定される。鍵操作部３１の突出寸法は、コイン錠装置１が取り付けられる扉Ｄｗの厚さに対応している。
【００３７】
このコイン錠装置１は、扉Ｄｗの裏側に取り付けられるものであるため、一旦施錠されれば、利用者や第三者は錠ケース２に触れることができなくなる。したがって、ビス固定による簡単な取り付けでも特に保安上の問題はない。さらに、取付方法が簡単になることから、既設のロッカー設備などに対しても後からコイン錠装置１を取り付けることが可能である。
【００３８】
図１４は、前記と同じコイン錠装置１を、例えば薄い鋼板からなる扉Ｄｓに取り付ける場合の取付方法を示す。この場合、鍵操作部３１の突出寸法に比べて扉Ｄｓの厚さが小さいので、扉Ｄｓの裏面に図示のような補助プレートＰをビス止め或いは溶接等により固着しておき、この補助プレートＰの裏面に、前記と同様の引き付け板７を介してコイン錠装置１を取り付けるようにする。このような補助プレートＰを利用することにより、同じ仕様のコイン錠装置１を、木製の扉Ｄｗにも、鋼板製の扉Ｄｓにも取り付けることができる。
【００３９】
もちろん、前記のような補助プレートＰを利用せず、扉の厚さに応じてそれぞれ突出寸法の異なる鍵操作部３１を用意し、これを取り替えることによって対応することも可能である。
【００４０】
続いて、本発明の他の実施の形態について、図１５〜図１８を参照しつつ説明する。このコイン錠装置１０は、コインＣが投入された後、閉扉不完全な状態で施錠操作がなされ、扉が開いたまま鍵が持ち去られてしまう、という誤使用やイタズラを防止するためになされたものであって、扉が完全に閉じていないかぎり施錠操作ができないようにするための誤施錠防止手段が、前記実施の形態に示したコイン錠装置１に付加されたものである。
【００４１】
かかる誤施錠防止手段を構成する主要部品は、扉が完全に閉じられることによって作動する閉扉確認ラッチ８と、この閉扉確認ラッチ８に連動して施錠板３２の回動を可能にする施錠制御部材９である。
【００４２】
閉扉確認ラッチ８は、施錠板３２の下方位置に組み込まれ、水平方向に摺動自在に保持されて、錠ケース２の錠面からラッチヘッド８１が出没するようになっている。この閉扉確認ラッチ８の摺動は、錠ケース２の正面側の内面に突出して形成された案内レール２６と、錠ケース２の下方中央付近の肉厚部に形成された案内凹部２７によって案内されるとともに、案内凹部２７内に組み込まれた圧縮コイルバネ８２によってラッチヘッド８１が錠面から突出するように付勢されている。ラッチヘッド８１の先端は、閉扉時にコインロッカーの框体（図示せず）の側縁部に接触して押し込まれるように、閉扉方向側の側面が斜めに形成されている。閉扉確認ラッチ８の出没方向に対する一方（この例では錠ケース２の正面側）の側面には、施錠制御部材９に係合する案内ピン８３が形成されている。
【００４３】
施錠制御部材９は、縦長の板状部品で、施錠板３２の脇に組み込まれ、錠ケース２の正面側の内面に沿って昇降自在に保持されている。施錠制御部材９の直立部９１の下部には、前記した閉扉確認ラッチ８の案内ピン８３に係合する案内溝９２が形成されている。この案内溝９２は、錠面側から吊り元側に向かって斜めに上昇する傾斜部９２１と、その吊り元側に連続する水平部９２２とからなる。そのため、閉扉確認ラッチ８が突出した状態では、案内溝９２に対する案内ピン８３の係合位置が最も錠面側となり、この案内ピン８３によって施錠制御部材９が最上位置まで持ち上げられた状態で保持される。そして、閉扉操作によって閉扉確認ラッチ８が後退すると、案内溝９２に対する案内ピン８３の係合位置が吊り元側に移動し、これとともに施錠制御部材９が下降することとなる。
【００４４】
施錠制御部材９の上部には、施錠板３２向かって水平方向に張り出した施錠阻止片９３が形成されている。一方、施錠板３２には、施錠阻止片９３に向かって突出する係合片３４が形成されている。施錠制御部材９が上昇した位置では、これら施錠阻止片９３と係合片３４とが当接することにより、施錠板３２の回動が阻止される。そして、閉扉操作によって施錠制御部材９が下降すると、施錠阻止片９３と係合片３４とが離れて、施錠板３２が回動可能となるようになっている。
【００４５】
このような構成により、閉扉不完全な状態のままコインＣを投入して施錠操作をしようとしても施錠板３２の回動が阻止され、完全に扉を閉めてはじめて施錠が可能になる。こうして、扉が開いたまま鍵が持ち去られてしまう、という誤使用やイタズラを防止することができ、コイン錠装置１０の維持管理が容易になる。
【００４６】
なお、前記した誤施錠防止手段の構成はあくまで一例であって、これ以外にも、例えば施錠制御部材９を、開扉時には下降し、閉扉時には上昇するように閉扉確認ラッチ８に係合させるとともに、その施錠制御部材９が上昇した位置で施錠板３２の回動が可能になるように、施錠阻止片９３や係合片３４の位置関係を設定することも可能である。
【００４７】
【発明の効果】
以上に述べたように、本発明のコイン錠装置は、最小限の部品点数によって施解錠の制御手段とコインの判別・処理手段とが一体的に構成されている。また、投入されたコインを一時的にリトラクターに保持して施錠操作とともに移動させ、施解錠の制御手段を構成する部品の一部としても活用している。そのため、内部機構が簡潔で合理的なものとなり、安価での提供が可能になる。また、内部機構が簡潔になるので、コイン錠装置の軽量化が図られるとともに、誤動作のおそれも小さくなる。さらに、コインロッカーの扉への取り付けも簡単になり、既設のロッカー設備に対して後から取り付けることも容易になる。
【００４８】
さらに、コインを錠ケースの取付面に対して直交する向きに投入することができるよう、コイン投入口が錠ケースの前面に縦向きに設けられているので、機械操作に不慣れな高齢者や身障者等にとっても利用しやすいものとなる。
【００４９】
また、施錠板にデッドボルトでなく回動式の板体を採用しているので、施錠板の先端部を鉤状に形成し、その相手方の係合溝に係止しうるようにすれば、片開き式の扉だけでなく、両開き式の扉や引き戸式の扉を有する収納室にも利用することができる。
【００５０】
さらに、ラッチヘッドが錠ケースの錠面から付勢状態で突出し、閉扉時に収納室の框体に接触して後退するように組み込まれた閉扉確認ラッチと、この閉扉確認ラッチの出没に連動して昇降し、開扉時には前記施錠板に形成された係合片に当接して施錠板の回動を阻止するように形成された施錠制御部材と、からなる誤施錠防止手段を前記コイン錠装置に付加することによって、閉扉不完全な状態のままコインを投入して施錠操作をしようとしても施錠板の回動が阻止され、完全に扉を閉めたときにはじめて施錠が可能になる。これにより、扉が開いたまま鍵が持ち去られてしまう、という誤使用やイタズラを防止することができる。
【図面の簡単な説明】
【図１】本発明のコイン錠装置の正面図である。
【図２】前記コイン錠装置の非使用時における背面図である。（背面側のカバー部材は図示していない。）
【図３】図２に示したコイン錠装置のＶ−Ｖ’横断面図である。
【図４】図２に示したコイン錠装置のＷ−Ｗ’横断面図である。
【図５】図２に示したコイン錠装置のＸ−Ｘ’横断面図である。
【図６】図２に示したコイン錠装置のＹ−Ｙ’縦断面図である。
【図７】図２に示したコイン錠装置のＺ−Ｚ’縦断面図である。
【図８】リトラクター及び中板の構成を示す部分分解斜視図である。
【図９】施錠前におけるリトラクター及びストッパーの係合状態を示す縦断面図である。
【図１０】施錠中におけるリトラクター及びストッパーの作動状態を示す縦断面図である。
【図１１】コイン錠装置の施錠後の状態を示す背面図である。
【図１２】図１１に示したコイン錠装置のＸ−Ｘ’横断面図である。
【図１３】コイン錠装置の扉への取付方法の一例を示す斜視図である。
【図１４】コイン錠装置の扉への取付方法の他の例を示す斜視図である。
【図１５】本発明の他の実施の形態にかかるコイン錠装置の開扉時における背面図である。（背面側のカバー部材は図示していない。）
【図１６】図１５に示したコイン錠装置のＳ−Ｓ’横断面図である。
【図１７】図１５に示したコイン錠装置のＴ−Ｔ’縦断面図である。
【図１８】図１５に示したコイン錠装置に組み込まれる誤施錠防止手段の構成を示す斜視図である。
【符号の説明】
１  コイン錠装置
２  錠ケース
２１  コイン投入口
２２  コイン返却口
３  シリンダー錠
３１  鍵操作部
３２  施錠板
３３  カム部
３４  係合片
４  リトラクター
６  ストッパー
８  閉扉確認ラッチ
８１  ラッチヘッド
９  施錠制御部材
Ｄｓ，Ｄｗ  扉
Ｃ  コイン
【図１】
0004331339.tif 000002
【図２】
0004331339.tif 000003
【図３】
0004331339.tif 000004
【図４】
0004331339.tif 000005
【図５】
0004331339.tif 000006
【図６】
0004331339.tif 000007
【図７】
0004331339.tif 000008
【図８】
0004331339.tif 000009
【図９】
0004331339.tif 000010
【図１０】
0004331339.tif 000011
【図１１】
0004331339.tif 000012
【図１２】
0004331339.tif 000013
【図１３】
0004331339.tif 000014
【図１４】
0004331339.tif 000015
【図１５】
0004331339.tif 000016
【図１６】
0004331339.tif 000017
【図１７】
0004331339.tif 000018
【図１８】
0004331339.tif 000019